(57)【要約】　　　（修正有）【課題】作動部の動きでスタンドの脚部を固定基板に付勢力を用いずに固定することができる自転車のスタンド構造に関する。【解決手段】スタンドが、車体に固定される固定基板と、固定基板に一体に形成された第１ロック孔と、第１ロック孔に没入可能な錠杆を進退自在に保持した施錠部と、固定基板に枢着されて車体を支持する起立位置と車体を走行可能とする跳上げ位置とに変位する脚部と、脚部に一体に形成されて、脚部の起立位置で第１ロック孔と連通可能に整合する位置に変位する第２ロック孔とからなり、作動部の操作によって、ワイヤリモコンを介して錠杆を第１ロック孔と第２ロック孔とに係合させて脚部を停立位置で固定基板に拘束し、作動部のロック解除操作によって、錠杆を第１ロック孔と第２ロック孔から外して脚部の拘束を解除する。【選択図】　　図２
0003098917.tif 000002
【実用新案登録請求の範囲】
【請求項１】
自転車の車体に設けた作動部にインナーワイヤとアウターワイヤからなるワイヤリモコンの一端を接続し、車体に沿って掛け渡して他端を前記車体に枢動可能に取り付けられたスタンドに接続し、前記作動部の操作によって前記スタンドをロックする自転車のスタンド構造において、
前記スタンドが、車体に固定される固定基板と、
該固定基板に一体に形成された第１ロック孔と、該第１ロック孔に没入可能な錠杆を進退自在に保持した施錠部と、
前記固定基板に枢着されて車体を支持する起立位置と車体を走行可能とする跳上げ位置とに変位する脚部と、
前記脚部に一体に形成されて、脚部の起立位置で前記第１ロック孔と連通可能に整合する位置に変位する第２ロック孔とを有する第２受部とからなり、
前記作動部の操作によって、前記ワイヤリモコンを介して前記錠杆を前記第１ロック孔と第２ロック孔とに係合させて脚部を停立位置で固定基板に拘束し、
前記作動部のロック解除操作によって、前記錠杆を第１ロック孔と第２ロック孔から外して脚部の前記拘束を解除することを特徴とする自転車のスタンド構造。
【請求項２】
施錠部が、ロック解除方向に付勢した錠杆と、固定基板に設けて前記錠杆の動きをガイドするガイド用の第１ロック孔と、該ガイド用の第１ロック孔と離間した係合用の第１ロック孔とを有し、脚部の起立位置への変位により第２受部を前記一対の第１ロック孔の間に挿入して第２ロック孔を前記第１ロック孔に整合可能にし、錠杆を一対の第１ロック孔と第２ロック孔間に貫挿して施錠することを特徴とする請求項１に記載の自転車のスタンド構造。
【請求項３】
施錠部に、ワイヤリモートのインナーワイヤの牽引を錠杆の施錠方向の動きに変換するカム片を設けてなることを特徴とする請求項２に記載の自転車のスタンド構造。
【請求項４】
脚部にロックレバーの上部が枢着されており、該ロックレバーと固定基板との間にコイルスプリングからなるトグルバネを掛け渡し、前記脚部を起立位置で起立方向に付勢し、跳ね上げ位置で跳ね上げ方向に付勢してなることを特徴とする請求項１、２または３に記載の自転車のスタンド構造。
【請求項５】
作動部が、自転車の車輪またはハンドルを拘束する施錠装置からなっており、該施錠装置がロック方向へ変位すると、ワイヤリモコンを介して起立位置のスタンドがロックされることを特徴とする請求項１、２または３に記載の自転車のスタンド構造。
【請求項６】
作動部が、スタンドロック用の操作部からなり、該操作部にワイヤリモートの一端が接続されており、該操作部をロック方向へ操作すると、ワイヤリモコンを介して起立位置のスタンドがロックされることを特徴とする請求項１、２または３に記載の自転車のスタンド構造。
【考案の詳細な説明】
【０００１】
【産業上の利用分野】
この考案は、自転車の車体に設けた作動部にワイヤリモコンの一端を接続し、車体に沿って掛け渡して他端を前記車体に枢動可能に取り付けられたスタンドに接続し、前記作動部のロック操作によって前記スタンドをロックする自転車のスタンド構造に関する。
【０００２】
【従来の技術】
従来、自転車のスタンドのロック動作を基に、ワイヤリモコンを介して、例えば車輪の回転を拘束するサークル錠やハンドルロック錠をロックさせる構成が知られている（特許文献１）。
上記構成では、スタンドの脚部を起立位置にセットし、脚部に枢着したロック片をロック方向に動かすと、ロック片の変位でワイヤリモコンのワイヤを牽引し、遠隔操作で前記サークル錠やハンドルロック錠をロックし、ロック片をロック解除方向に戻すと前記ワイヤリモコンを介して遠隔操作で前記サークル錠やハンドルロック錠をロック解除している。
この場合、スタンドは、車体に固定される固定基板と前記ロック片との間に掛け渡したコイルスプリングの付勢力でロックされるに過ぎないので、ロック片を付勢力に抗して解除方向に動かせばロック解除されてしまい、施錠することはできなかった。
【０００３】
【特許文献１】特開平１４−１７８９７０号（［０００７］〜［０００９］の欄の説明、および図１参照）
【０００４】
【考案が解決しようとする課題】
この考案は、上記事情に鑑みて創案されたものであって、その主たる課題は、自転車の車体に設けた作動部とスタンドとの間にワイヤリモコンを介設して、作動部の動きでスタンドの脚部を固定基板に付勢力を用いずに固定することができる自転車のスタンド構造を提供することにある。
この考案の別の課題は、作動部が施錠装置である場合に、１度の操作で該施錠装置とスタンドのロックとを同時に行うことができる自転車のスタンド構造を提供することにある。
【０００５】
【課題を解決するための手段】
この考案では上記課題を解決するために、請求項１の考案では、
自転車の車体に設けた作動部にインナーワイヤとアウターワイヤからなるワイヤリモコンの一端を接続し、車体に沿って掛け渡して他端を前記車体に枢動可能に取り付けられたスタンドに接続し、前記作動部の操作によって前記スタンドをロックする自転車のスタンド構造において、
前記スタンドが、車体に固定される固定基板と、
該固定基板に一体に形成された第１ロック孔と、該第１ロック孔に没入可能な錠杆を進退自在に保持した施錠部と、
前記固定基板に枢着されて車体を支持する起立位置と車体を走行可能とする跳上げ位置とに変位する脚部と、
前記脚部に一体に形成されて、脚部の起立位置で前記第１ロック孔と連通可能に整合する位置に変位する第２ロック孔とからなり、
前記作動部の操作によって、前記ワイヤリモコンを介して前記錠杆を前記第１ロック孔と第２ロック孔とに係合させて脚部を停立位置で固定基板に拘束し、
前記作動部のロック解除操作によって、前記錠杆を第１ロック孔と第２ロック孔から外して脚部の前記拘束を解除する、という技術的手段を講じている。
また、請求項２の考案では、
前記施錠部が、ロック解除方向に付勢した錠杆と、固定基板に設けて前記錠杆の動きをガイドするガイド用の第１ロック孔と、該ガイド用の第１ロック孔と離間した係合用の第１ロック孔とを有し、脚部の起立位置への変位により第２受部を前記一対の第１ロック孔の間に挿入して第２ロック孔を前記第１ロック孔に整合可能にし、錠杆を一対の第１ロック孔と第２ロック孔間に貫挿して施錠する、という技術的手段を講じている。
更に、請求項３の考案では、
前記施錠部に、ワイヤリモートのインナーワイヤの牽引を錠杆の施錠方向の動きに変換するカム片を設けてなる、という技術的手段を講じている。
請求項４の考案では、
前記脚部にロックレバーの上部が枢着されており、該ロックレバーと固定基板との間にコイルスプリングからなるトグルバネを掛け渡し、前記脚部を起立位置で起立方向に付勢し、跳ね上げ位置で跳ね上げ方向に付勢してなる、という技術的手段を講じている。
更に、請求項５の考案では、
前記作動部が、スタンドロック用の操作部からなり、該操作部にワイヤリモートの一端が接続されており、該操作部をロック方向へ操作すると、ワイヤリモコンを介して起立位置のスタンドがロックされる、という技術的手段を講じている。
請求項６の考案では、
前記脚部にロックレバーの上部が枢着されており、該ロックレバーと固定基板との間にコイルスプリングからなるトグルバネを掛け渡し、前記脚部を起立位置で起立方向に付勢し、跳ね上げ位置で跳ね上げ方向に付勢してなる、という技術的手段を講じている。
【０００６】
【考案の実施の形態】
以下に、この考案の自転車用スタンド構造の好適実施例について図面を参照しながら説明する。
図１から図６に示す第１実施例の自転車用スタンド構造は、自転車の車体４０に設けた作動部２０にワイヤリモコン３０の一端を接続し、前記車体４０に沿って掛け渡して他端を前記車体４０に取り付けられたスタンド１に接続し、前記作動部２０の操作によって前記スタンド１をロックする構成からなっている。
【０００７】
そして、スタンド１は、車体４０に固定される固定基板２と、該固定基板２に形成されて錠杆７を進退自在に保持する施錠部８と、前記固定基板２に枢着されて車体４０を停止姿勢に支持する起立位置と車体４０を走行可能とする跳上げ位置とに変位する脚部１２とからなっている。
【０００８】
前記固定基板２は、図示例の場合、車体取付片部３と施錠片部４とからなっている。
車体取付片部３は、車体４０の後輪側フレームに掛止められてボルト等で車体４０に固定するものである。
施錠片部４は、車体取付片部３から下方へ延びており、後述の脚部１２を枢着Ｐ１し、縁部に、前記脚部１２の枢動を起立位置と跳上げ位置とでそれぞれ規制する折曲片からなる一対の規制部４ａ、４ｂを一体に形成している。
【０００９】
この施錠片部４には、施錠用の第１ロック孔５ｂ、５ｃを有する略ボックス状の第１受部５と、ワイヤリモコン３０のインナーワイヤ３１の伸縮で錠杆７をロック位置とロック解除位置に変位させる施錠部８とを設けている。
一方、前記車体取付部３には、前記施錠部８に対峙するように、ワイヤ保持部６が突設されており、前記ワイヤリモコン３０のアウターワイヤ３２の端部が固定されており、インナーワイヤ３１を前記施錠部８側へ導出している。
【００１０】
第１受部５は、図示例の場合、側面が開口する断面ボックス状に形成されており、その頂壁５ａには、錠杆７の出没をガイドするガイド用の第１ロック孔５ｂが穿設されており、内部の中途位置には前記ガイド用の第１ロック孔５ｂと所定の隙間を隔てて係止用の第１ロック孔５ｃが軸線を同じくするように配置されている（図１、図２参照）。
【００１１】
施錠部８は、錠杆７と、該錠杆７をロック解除方向に付勢するコイルスプリング１１と、施錠片部４に枢着Ｐ２されたカム片１０を有している。
錠杆７は、大径の頭部７ａと、先端がガイド用の第１ロック孔５ｂに挿入して位置決めされた軸部７ｂとからなっている。
【００１２】
カム片１０は、基端が施錠片部４に枢着Ｐ２され、中途位置で２つに分岐し、一方の先端が前記錠杆７の頭部７ａに接し、他方は、取付ネジ１０ａが取り付けられ、該取付ネジ１０ａにはインナーワイヤ３１の先端が連結されている。
また、コイルスプリング１１は、錠杆７に外嵌し、頭部７ａの内側と第１受部５の頂壁５ａとの間に圧縮して介設されている。
【００１３】
次ぎに、脚部１２は、図示例の場合、１本の棒材からなっており、前記施錠片部４にその上端側を枢着Ｐ２している。
施錠片部４には、前述のように一対の規制部４ａ、４ｂが形成されているので、脚部１２の枢動ストロークを規制しており、一方の規制部４ａが脚部１２を起立位置に規制し、他方の規制部４ｂが脚部１２を跳上げ位置に規制している。
【００１４】
次ぎに、この脚部１２には、上方位置で外方へ突出する突片状の第２受部１５が形成されており、該第２受部１５には、第２ロック孔１５ａが穿設されている。
この第２受部１５は、脚部１２が枢動して起立位置に変位すると、これに連動して前記施錠部８の側方の開口から進入し、前記ガイド用の第１ロック孔５ｂと、係止用の第１ロック孔５ｃとの間に挿入され、且つ前記第２ロック孔１５ａが、前記各第１ロック孔５ｂ、５ｃと同軸線上となり各孔が連通可能に整合するように形成されている。
【００１５】
なお、本実施例では更に、脚部１２に、マニュアル操作用にロックレバー１３が設けられている。
このロックレバー１３は、上部が脚部１２に枢着Ｐ３されており、また背面側で、該ロックレバー１３と前記施錠片部４との間にコイルスプリングからなるトグルバネ１６を掛け渡しており、前記ロックレバー１３がロック方向に変位するとロック方向に付勢し、ロック解除方向に変位するとロック解除方向に付勢する公知構成になっている。
【００１６】
上記構成からなっているので、自転車が停止し、脚部１２が図４の跳ね上げ位置から図２の起立位置に枢動変位すると、第２受部１５が前述のように施錠部８の側方の開口に突入し、ガイド用の第１ロック孔５ｂ、第２ロック孔１５ａ、係止用の第１ロック孔５ｃの順に整合する。
【００１７】
そこで、作動部２０の操作でワイヤリモコン３０が操作されると、インナーワイヤ３１が、図２の矢印ａ方向に引っ張られ、図中点線で示すように、前記枢着点Ｐ２を支点にしてカム片１０が図２で時計方向に枢動し、錠杆７の頭部７ａをコイルスプリング１１の付勢力に抗して、第１受部５内に押し込まれる（図３参照）。
【００１８】
この際に、錠杆７は、ガイド用の第１ロック孔５ｂにガイドされて第１受部５内を直進し、前記第２受部１５の第２ロック孔１５ａを貫通し、係止用の第１ロック孔５ｃに突入する。
これにより、錠杆７は、固定基板２側に設けられた第１ロック孔５ｂ、５ｃと、脚部１２側に設けられた第２ロック孔１５ａとに差し込まれて施錠するので、脚部１２をロックすることができる。
【００１９】
そして、作動部２０が前記操作を解除し元に戻ると、カム片１０にはインナーワイヤ３１からの力がかからなくなり、前記圧縮されたコイルスプリング１１の反発復帰力でカム片１０が点線位置から実線位置に復帰する。
同時に、錠杆７も前記コイルスプリング１１の復帰動作で係止用の第１ロック孔５ｃと、第２ロック孔１５ａから引き抜かれ、元の位置に戻る。
これにより第２受部１５と一体の脚部１２は錠杆７に拘束されることはないので、脚部１２を跳ね上げ位置に動かすことができる。
【００２０】
本実施例では、別に公知のロックレバー１３を有していることから、前記施錠部８を用いずに、従来同様に、起立位置の脚部１２に対してロックレバー１３を図中点線で示すロック位置に枢動して、脚部１２を起立位置にロックすることも可能である。この場合、ロックレバー１３を実線で示すロック解除位置に枢動すれば脚部１２を跳ね上げ位置に容易に動かすことができる。
【００２１】
また、この考案では、上記スタンドのロックを制御する作動部２０の構造は特に限定されない。
例えば、図６に示すように、作動部が、自転車の車輪を拘束する公知の施錠装置からなっている場合には、該施錠装置の錠杆（図示せず）の動きに連動するようにワイヤリモコン３０を設け、上記車輪用の施錠装置の錠杆をロック方向へ変位すると、これに連動してワイヤリモコンを介して、前述のように起立位置の前記脚部１２を自動的にロックすることができる。
【００２２】
同様に、図示しないが、作動部が、自転車のハンドルの動きを拘束する公知の施錠装置からなっている場合には、該施錠装置の錠杆の動きに連動するようにワイヤリモコンを設け、上記ハンドル用の施錠装置の錠杆をロック方向へ変位すると、これに連動してワイヤリモコンを介して、前述のように起立位置の前記脚部１２を自動的にロックすることができる。
これによれば１回の操作で２つの施錠を同時に行うことができる。
【００２３】
また、作動部は、このような自転車のコンポーネントの動きをロックする施錠装置に限らず、スタンドロック用の操作部であってもよい。
例えば、スタンドロック操作用のレバーやその他の操作部材を設け、該操作部材の動きに連動するようにワイヤリモコンを設け、上記操作部材をロック方向へ変位すると、これに連動してワイヤリモコンを介して、前述のように起立位置の前記脚部１２を自動的にロックするようにしてもよい。
その他、作動部の構成は、上記実施例に限定されるものではなく、要するにワイヤリモコンを操作することができる構成であれば、その用途や構成は特に限定されるものではない。
【００２４】
図７〜図１０には、自転車用スタンド構造の異なる実施例を説明する。
この実施例では、前記実施例のようなカム片を設けずに、ワイヤリモコン３０の先端に錠杆７が一体に連結されている。
そこで、図示省略の作動部側で作動部材がロック方向に動くと、ワイヤリモコン３０を介してロック解除方向に付勢された錠杆７が付勢力に抗して施錠部８内に突入してガイド用の第１ロック孔５ｂ、第２ロック孔１５ａ、係合用の第１ロック孔５ｃを貫通して施錠する。
【００２５】
また、作動部材にロック方向の力が加わらなくなると、ロック解除方向の付勢力で錠杆７が後退して係合用の第１ロック孔５ｃと第２ロック孔１５ａから抜け、施錠を解除する。
この実施例で、施錠部８は、施錠状態を示す図９（ｂ）に示すように、施錠片部４に固定されたチャンネル状の保持部材６’と、施錠片部４の端部と連接して断面ボックス状となる第１受部５とからなっている。
そして、保持部材６’は、外方の片にワイヤーリモコン３０のアウターワイヤ側を固定し、錠杆７を第１受部５内に出没自在に保持しており、内方の片に係止用の第１ロック孔５ｃを穿設している。
【００２６】
また、第１受部５は、前記施錠片部４の端部と連接する頂壁５ａにガイド用の第１ロック孔５ｂを穿設している。
そして、この第１受部５は、側方が開口しているので、脚部１２の変位により第２受部１５が第１受部５内に進入しうるようになっている。
そして、図７は、脚部１２が起立位置における状態を示し、図８はロックレバー１３により脚部１２を起立位置でロックした状態を示す。
図９（ａ）は、その状態で、錠杆７で脚部１２を施錠した状態を示すが、この実施例で施錠するには前記ロックレバー１３でロックを行う必要がないことは前記実施例と同様である。
その他の構成は前記実施例と同様であるので、その説明を省略する。
【００２７】
上記実施例では、第１受部を断面ボックス状としたが、第１ロック孔を有し、側面から第２受部が嵌挿しうる開口を有していればよく、その形状は実施例に限定されるものではない。
また施錠構造として、ロック孔に錠杆を出没させる構造を例示したが、係脱可能な一対の係合構造を用いるものでもよい。
更に、スタンドの形状は、図６（ａ）に例示したように杆状のもの、あるいは図６（ｂ）に例示したように略コ字状のものなど、適宜公知の形状であってもよい。
その他、要するにこの考案の要旨を変更しない範囲で種々設計変更しうること勿論である。
【００２８】
【考案の効果】
以上のように、この考案の自転車用スタンド構造では、自転車の車体に設けた作動部とスタンドとの間にワイヤリモコンを介設して、作動部の動きでスタンドの脚部を固定基板に付勢力を用いずにスタンドの脚部を固定することができる。
また、作動部が施錠装置である場合には、１度の操作で該施錠装置とスタンドのロックとを同時に行うことができて利便性に優れる。
更に、脚部にロックレバーを設けておけば、作動部の施錠を行わない場合であっても、脚部だけをロックレバーで起立位置にロックすることもできる。
【図面の簡単な説明】
【図１】第１実施例の起立位置のスタンドの側面図である。
【図２】図１のスタンドの施錠部の一部を切り欠いた要部拡大図である。
【図３】第１実施例の起立位置でロックされたスタンドの側面図である。
【図４】第１実施例の跳ね上げ位置のスタンドの側面図である。
【図５】第１実施例の跳ね上げ位置のスタンドを裏面から見た側面図である。
【図６】（ａ）は作動部が車輪の施錠装置であって脚部が杆状のスタンド構造を示す自転車の一部側面図、（ｂ）同、脚部が車輪の両側で起立する略コ字状のスタンド構造を示す自転車の一部側面図である。
【図７】第２実施例の起立位置のスタンドの側面図である。
【図８】第２実施例の起立位置でロックレバーでロックされたスタンドの側面図である。
【図９】（ａ）は錠杆で脚柱を施錠した状態のスタンドの図、（ｂ）は施錠部の断面図である。
【図１０】第２実施例の跳ね上げ位置のスタンドの側面図である。
【図１１】第２実施例の跳ね上げ位置のスタンドを裏面から見た側面図である。
【符号の説明】
１　　スタンド
２　　固定基板
３　　車体取付片部
４　　施錠片部
４ａ、４ｂ　規制部
５　　第１受部
５ｂ　ガイド用の第１ロック孔
５ｃ　係止用の第１ロック孔
６　　ワイヤ保持部
７　　錠杆
７ａ　頭部
７ｂ　軸部
８　　施錠部
１０　　カム片
１１　　コイルスプリング
１２　　脚部
１２ａ　脚杆
１３　　ロックレバー
１４　　トグルバネ
１５　　第２受部
１５ａ　第２ロック孔
２０　　作動部
３０　　ワイヤリモコン
４０　　自転車の車体
【図１】
0003098917.tif 000003
【図２】
0003098917.tif 000004
【図３】
0003098917.tif 000005
【図４】
0003098917.tif 000006
【図５】
0003098917.tif 000007
【図６】
0003098917.tif 000008
【図７】
0003098917.tif 000009
【図８】
0003098917.tif 000010
【図９】
0003098917.tif 000011
【図１０】
0003098917.tif 000012
【図１１】
0003098917.tif 000013